(57)【要約】【課題】  操作性が良いデッキボードの上下動機構の提供。【解決手段】  自動車後部に設けられたデッキルームのフロアパネル上に配置されるデッキボードＢを上下動させる機構であって、フロアパネルとデッキボードＢとの間に画成される収納室の両側壁に第一の回転中心９を設け、デッキボードＢの対応する両側部に第二の回転中心５を設け、この第一の回転中心９と第二の回転中心５とをリンクアーム４を介して連結して、該リンクアーム４の回動で、デッキボードＢをフロアパネルに沿う下位置と収納室の開口を覆う上位置との間で移動させることにより、デッキボードＢの上下動を容易に行なうことを可能とする。【選択図】  図１
2007191127.tif 000002
【特許請求の範囲】
【請求項１】
自動車後部に設けられたデッキルームのフロアパネル上に配置されるデッキボードを上下動させる機構であって、フロアパネルとデッキボードとの間に画成される収納室の両側壁に第一の回転中心を設け、デッキボードの対応する両側部に第二の回転中心を設け、この第一の回転中心と第二の回転中心とをリンクアームを介して連結して、該リンクアームの回動で、デッキボードをフロアパネルに沿う下位置と収納室の開口を覆う上位置との間で移動させることを特徴とするデッキボードの上下動機構。
【請求項２】
収納室の側壁とデッキボード又はリンクアームとの間に弾性付勢手段を設けて、該弾性付勢手段の付勢力で、デッキボードを下位置と上位置のいずれか一方向に付勢すると共に、第二の回転中心が第一の回転中心に対して弾性付勢手段のデッドポイントを超えて回転すると、上記付勢方向が反転することを特徴とする請求項１記載のデッキボードの上下動機構。
【請求項３】
収納室の前方上端と後方上端にデッキボードを載置する棚部を設けたことを特徴とする請求項１乃至請求項２のいずれかに記載のデッキボードの上下動機構。
【請求項４】
リンクアームの可動側上端部は、第一の回転中心の真上付近を避けて設定されていることを特徴とする請求項１乃至請求項３のいずれかに記載のデッキボードの上下動機構。
【請求項５】
各回転中心から離れた後方上端の棚部は、デッキボードを水平に支持する時には、当該棚部でデッキボードの後端縁を載置でき、デッキボードの前端縁を収納室に入り込ませて斜めにした時には、デッキボードの後端縁とは干渉しない大きさであることを特徴とする請求項３記載のデッキボードの上下動機構。
【請求項６】
収納室の側壁は、第一の回転中心を中心とする円弧状の周溝を有し、デッキボードが上下動する時には、該周溝内をリンクアーム上に設けた回転ピンが摺動することを特徴とする請求項１乃至請求項５のいずれかに記載のデッキボードの上下動機構。
【請求項７】
収納室の側壁は、二重壁構造となっており、外側の側壁は第一の回転中心を有し、内側の側壁は外側の側壁との間に空間を画成して、該空間内にリンクアームを収納したことを特徴とする請求項１乃至請求項６のいずれかに記載のデッキボードの上下動機構。
【発明の詳細な説明】
【技術分野】
【０００１】
本発明は、自動車後部に設けられたデッキルームのフロアパネル上に配置されるデッキボードを上下動させる機構に関するものである。
【背景技術】
【０００２】
例えば、自動車後部に設けられたデッキルーム内で、トノボードを上下方向に沿って支持しようとする場合には、具体的には図示しないが、フロアパネルの収納室を覆うデッキボードを左右で２分割して、該分割された各デッキボードをデッキルームの両側端に回動可能に軸支する一方、各デッキボードの裏面に複数段のスライドレールを形成して、該各スライドレール毎でトノボードを個々に支持できる構成となっている（例えば、特許文献１参照）。
【０００３】
そして、トノボードを使用しない時は、上記分割された左右のデッキボードを閉塞して、該閉塞により画成される収納室内に荷物を収納し、トノボードを使用する時には、今度は、分割された左右のデッキボードを起立させて、その裏面に形成されたスライドレールを対向させながら、任意段のスライドレールを選択して、これにトノボードを載置すれば、これにより、デッキルーム内にトノボートを介して荷物を収納することが可能となる。
【特許文献１】特開２００５−１８６８４８号公報
【発明の開示】
【発明が解決しようとする課題】
【０００４】
然し乍ら、この場合に、トノボードの高さ位置を変更しようとすると、まず、トノボードを現在支持されているスライドレールから完全に引き抜いてから、今度は、希望する高さのスライドレールに完全に差し込まなければならないので、自ずと、引き抜き距離や差し込み距離が長くなって、作業が面倒となり、その上、トノボードを引き抜いた時には、トノボードの全重量を手で支えなければならないので重く、作業が大変となる嫌いがあった。
【課題を解決するための手段】
【０００５】
本発明は、斯かる実情に鑑み開発されたもので、請求項１記載の発明は、自動車後部に設けられたデッキルームのフロアパネル上に配置されるデッキボードを上下動させる機構であって、フロアパネルとデッキボードとの間に画成される収納室の両側壁に第一の回転中心を設け、デッキボードの対応する両側部に第二の回転中心を設け、この第一の回転中心と第二の回転中心とをリンクアームを介して連結して、該リンクアームの回動で、デッキボードをフロアパネルに沿う下位置と収納室の開口を覆う上位置との間で移動させることを特徴とする。
【０００６】
請求項２記載の発明は、請求項１を前提として、収納室の側壁とデッキボード又はリンクアームとの間に弾性付勢手段を設けて、該弾性付勢手段の付勢力で、デッキボードを下位置と上位置のいずれか一方向に付勢すると共に、第二の回転中心が第一の回転中心に対して弾性付勢手段のデッドポイントを超えて回転すると、上記付勢方向が反転することを特徴とする。
【０００７】
請求項３記載の発明は、請求項１乃至請求項２を前提として、収納室の前方上端と後方上端にデッキボードを載置する棚部を設けたことを特徴とする。
【０００８】
請求項４記載の発明は、請求項１乃至請求項３を前提として、リンクアームの可動側上端部は、第一の回転中心の真上付近を避けて設定されていることを特徴とする。
【０００９】
請求項５記載の発明は、請求項３を前提として、各回転中心から離れた後方上端の棚部は、デッキボードを水平に支持する時には、当該棚部でデッキボードの後端縁を載置でき、デッキボードの前端縁を収納室に入り込ませて斜めにした時には、デッキボードの後端縁とは干渉しない大きさであることを特徴とする。
【００１０】
請求項６記載の発明は、請求項１乃至請求項５を前提として、収納室の側壁は、第一の回転中心を中心とする円弧状の周溝を有し、デッキボードが上下動する時には、該周溝内をリンクアーム上に設けた回転ピンが摺動することを特徴とする。
【００１１】
請求項７記載の発明は、請求項１乃至請求項６を前提として、収納室の側壁は、二重壁構造となっており、外側の側壁は第一の回転中心を有し、内側の側壁は外側の側壁との間に空間を画成して、該空間内にリンクアームを収納したことを特徴とする。
【発明の効果】
【００１２】
依って、請求項１記載の発明にあっては、デッキボードのリンクアームで連結されていない端部を把持するだけで、デッキボードを下位置と上位置との間を移動させられるので、従来のトノボードの場合と比較すると、作業長さが短くて済み、且つ、デッキボードの重量の一部を支えれば良いので、いずれにしても、上下動作業が容易となる。
【００１３】
請求項２記載の発明にあっては、弾性付勢手段のデットポイントを利用できるので、デッキボードを下位置から上位置へ移動させる場合も、逆に、上位置から下位置へ移動させる場合も、作業がスムーズに行なえるが、特に、下位置から上位置へ移動させる場合には、極めて軽い力で移動させることが可能となる。
【００１４】
請求項３記載の発明にあっては、収納室の前方上端と後方上端に棚部が設けられているので、上位置へ移動したデッキボードを安定して確実に支持できる。
【００１５】
請求項４記載の発明にあっては、第二の回転中心が第一の回転中心の真上にあると、リングアームは回動できずに、全ての荷重を受けることとなるが、リンクアームの可動側上端部が第一の回転中心を避けて設定されているので、リンクアームは回動して、デッキボードを下位置へスムーズに移動できる。これにより、リンクアーム自体の損傷も併せて防止できる。
【００１６】
請求項５記載の発明にあっては、上位置へ移動したデッキボードは前後の棚部でしっかりと支持され、下位置へ移動しようとすると、デッキボードの後端縁は後方上端の棚部に干渉することがないので、スムーズに下位置まで移動できる。
【００１７】
請求項６記載の発明にあっては、リンクアームが薄くて、第二の回転中心側の傾きを十分に支持できない時には、これを周溝と該周溝内を摺動する回転ピンで補い、双方相俟って、デッキボードの移動をしっかりと案内できる。
【００１８】
請求項７記載の発明にあっては、内側の側壁と外側の側壁の間に画成される空間内にリンクアームが収納されるので、リンクアームは外部には露呈せず、見栄えが良くなると共に、荷物でリンクアームが破損される心配もない。
【発明を実施するための最良の形態】
【００１９】
本発明は、自動車後部に設けられたデッキルームのフロアパネル上に配置されるデッキボードを上下動させる機構を前提として、フロアパネルとデッキボードとの間に画成される収納室の両側壁に第一の回転中心を設け、デッキボードの対応する両側部に第二の回転中心を設け、この第一の回転中心と第二の回転中心とをリンクアームを介して連結して、該リンクアームの回動で、デッキボードをフロアパネルに沿う下位置と収納室の開口を覆う上位置との間で移動させることにより、デッキボードの上下動を容易に行なわんとするものである。
【実施例１】
【００２０】
以下、本発明を図示する好適な実施例に基づいて詳述する。まず、第一実施例に係るデッキボードの上下動機構は、自動車後部に設けられたデッキルームＲのフロアパネルＰ上に配置されるデッキボードＢを上下動させる機構として開発されたもので、フロアパネルＰとデッキボードＢとの間に画成される収納室１に対して、デッキボードＢをそのフロアパネルＰに沿う下位置と、収納室１の開口を覆う上位置との間で容易に移動させることを目的としている。
【００２１】
これを具体的に説明すると、第一実施例に係る上下動機構は、図１乃至図３に示す如く、フロアパネルＰとデッキボードＢとの間に画成される収納室１の両側面に固定されるベース板２と、デッキボードＢの前端側部裏面に固定されるブラケット３と、ベース板２に回動可能に軸支されるリンクアーム４と、該リンクアーム４の可動側上端部４ａと上記ブラケット３とを連結する回転ピン５と、該回転ピン５の中間部に外嵌されるカラー７と、ベース板２と回転ピン５の突出先端部５ａ間に装着される弾性付勢手段たる引張コイルばね８とを備える構成となっている。
【００２２】
そして、収納室１の両側壁にビスなどを介して固定されるベース板２は、その中央部にリンクアーム４の固定側基端部４ｂを第一の回転中心となる軸９を介して回動可能に軸支すると共に、一側部側に該軸９を中心とする円弧状の周溝１０を形成し、且つ、他側部側に上記引張コイルばね８の一端部を係止する係止部１１を裏側に折り返して形成する構成となっている。
【００２３】
デッキボードＢの前端側部裏面にビスなどを介して固定されるブラケット３は、その両側に第二の回転中心となる上記回転ピン５の軸受部１２を対の関係をもって立設して、該回転ピン５の中間部を上記カラー７を介在させてリンクアーム４の可動側上端部４ａに連結すると共に、回転ピン５の先端側を上記したベース板２の周溝１０内で摺動させる構成となっている。
【００２４】
第一の回転中心と第二の回転中心とを連結するリンクアーム４は、その可動側上端部４ａが上記回転ピン５を伴ってベース板２の周溝１０に沿って回動するものであるが、第二の回転中心となる回転ピン５が連結される可動側上端部４ａは、ベース板２側の第一の回転中心となる軸９の真上付近を避けるように設定されている。従って、第二の回転中心となる回転ピン５が第一の回転中心となる軸９の真上にあると、リンクアーム４は回動できずに、全ての荷重を受けることとなるが、リンクアーム４の可動側上端部４ａが軸９の真上を避けて設定されているので、リンクアーム４は回動して、デッキボードＢを下位置方向へスムーズに移動させることができる。
【００２５】
ブラケット３の軸受部１２に支持される回転ピン５は、その先端部５ａがベース板２の周溝１０から裏面側に突出して、この突出先端部５ａに上記引張コイルばね８の他端部が係止される構成となっている。従って、通常は、引張コイルばね８の付勢ばね圧で、回転ピン５は、デッキボードＢの下位置と上位置のいずれか一方に付勢されることとなるが、第二の回転中心となる回転ピン５が第一の回転中心となる軸９に対して引張コイルばね８のデッドポイントを超えて回動すると、上記付勢方向が反転する構成となる。
【００２６】
尚、特に、図１は、要部構造の理解を助けるために、ベース板２側を上方斜めから見ながら、デッキボードＢを通常の使用状態から回転ピン５を中心として１８０°反転させて示したものである。従って、通常の使用状態では、デッキボードＢは、回転ピン５を中心に図中矢印方向に１８０°左回転させた位置で使用されるので、ブラケット３や回転ピン５や軸受部１２は、デッキボードＢの下面に存在して見えることがない。
【００２７】
又、フロアパネルＰとデッキボードＢとの間に画成される収納室１に対しては、図４に示す如く、その前方上端と後方上端とにデッキボードＢの前・後端縁を載置する棚部１３Ａ・１３Ｂを設けて、上位置に移動したデッキボードＢを水平に支持できるように構成されているが、特に、本上下動機構から離れた後方上端の棚部１３Ｂについては、前方上端の棚部１３Ａと共働してデッキボードＢを水平に支持する時には、当該棚部１３ＢでデッキボードＢの後端縁を載置でき、デッキボードＢの前端縁を収納室１内に入り込ませて斜めにした時には、デッキボードＢの後端縁と干渉しない大きさとなす。
【００２８】
依って、斯かる構成の上下動機構を用いて、デッキボードＢを収納室１に対して上下動させる場合に、デッキボードＢが収納室１の開口を覆おう上位置に移動していると、図５に示す如く、デッキボードＢの前・後端縁が対応する棚部１３Ａ・１３Ｂに水平に支持されることとなるが、この時は、引張コイルばね８の付勢ばね圧で、回転ピン５はベース板２の周溝１０の上端方向にのみ付勢されている。
【００２９】
そして、この状態から、デッキボードＢを下位置に移動させる時には、図６に示す如く、デッキボードＢの後端部側に設けられている把手１４を把持して、上方に持ち上げながら、デッキボードＢに若干の力を加えると、これと連動して、リンクアーム４の案内を得て、回転ピン５が引張コイルばね８の付勢ばね圧に抗してベース板２の周溝１０内を下端方向へ摺動することとなるので、これに伴い、デッキボードＢの前端縁側が対応する棚部１３Ａから外れることとなる。
【００３０】
尚、この場合には、既述したように、第二の回転中心となる回転ピン５が第一の回転中心となる軸９の真上にあると、リンクアーム４は回動できずに、全ての荷重を受けることとなるが、リンクアーム４の可動側上端部４ａが軸９の真上を避けて設定されているので、リンクアーム４は回動して、デッキボードＢを下位置方向へスムーズに移動でき、且つ、リンクアーム４自体も損傷することがない。又、リンクアーム４が薄くて、第二の回転中心側の傾きを十分に支持できない時には、これを周溝１０と該周溝１０内を摺動する回転ピン５で補い、双方相俟って、デッキボードＢの移動をしっかりと案内できる。
【００３１】
次いで、回転ピン５が引張コイルばね８のデッドポイントを超えると、今度は、引張コイルばね８の付勢方向が反転して、回転ピン５を引張コイルばね８の付勢ばね圧で周溝１０の下端方向に自動的に導くので、これにより、図７に示す如く、デッキボードＢの前端縁側が収納室１に入り込んで傾くこととなる。
【００３２】
尚、この場合、棚部１３Ａ・１３Ｂの間隔Ｗｐは、デッキボードＢの長さＷＢよりも小さい一方、デッキボードＢの前端縁側を収納室１の下隅に位置させて、デッキボードＢを斜めにした時のデッキボードＢの間隔Ｗｐに沿う方向の長さＷＢ´よりも大きくなるように、Ｗｐ・ＷＢ・Ｄ（収納室の深さ）が設定されている。
【００３３】
従って、後は、把手１４に対する把持を解けば、図８に示す如く、デッキボードＢがフロアパネルＰに沿う下位置に安定して移動することが可能となるので、デッキボードＢの上位置から下位置への移動が頗る容易となる訳であるが、この場合には、従来のトノボードの場合と比較すると、作業長さが短くて済み、且つ、デッキボードＢの重量の一部を支えれば良いので、いずれにしても、作業が容易となる。
【００３４】
逆に、デッキボードＢを下位置から上位置へ移動する時には、前記した作業順を逆に行なうこととなるが、特に、この場合には、回転ピン５が引張コイルばね８のデッドポイントを超えると、引張コイルばね８の付勢方向が反転して、今度は、回転ピン５を引張コイルばね８の付勢ばね圧で周溝１０の上端方向に自動的に導くので、極めて軽い力で移動させ得る利点がある。
【００３５】
そして、リンクアーム４の案内を得て、回転ピン５が引張コイルばね８の付勢ばね圧でベース板２の周溝１０内を上端方向へ摺動すれば、後は、デッキボードＢの前端縁側を対応する棚部１３Ａに載置して、把手１４の把持を解くと、これにより、図５に示す如く、棚部１３Ａ・１３Ｂの作用で、デッキボードＢは収納室１の開口を覆う上位置に移動できることとなる。
【実施例２】
【００３６】
次に、第二実施例に係るデッキボードの上下動機構について説明すると、該第二実施例のものも、基本的には、上記した第一実施例のものをそのまま踏襲するものであるが、異なるところは、図９に示す如く、収納室１内に別に成形された樹脂製トレー１５を配設して、収納室１の全周を二重壁構造となして、外側となる収納室１の側壁にベース板２を固定すると共に、当該外側となる収納室１の側壁と内側となる樹脂製トレー１５の側壁間に空間１６を画成して、該空間１６内にリンクアーム４を収納する構成となしたものである。尚、この場合には、具体的には図示しないが、回転ピン５の移動を案内するために、樹脂製トレー１５の側壁にもベース板２の周溝１０と合致する溝形状を付与することは言うまでもない。
【００３７】
従って、第二実施例の下では、引張コイルばね８やベース板２は勿論であるが、特に、リンクアーム４は樹脂製トレー１５内には露呈しないので、見栄えが良くなると共に、荷物でリンクアーム４が破損される心配もなくなる。その他の作用効果は、第一実施例のものと同様なので、ここでは、その説明を省略する。
【産業上の利用可能性】
【００３８】
本発明に係る上下動機構は、デッキボードをフロアパネルに沿う下位置と収納室の開口を覆う上位置との間を容易に移動させることが可能となるので、これを自動車後部に設けられたデッキルームのフロアパネル上に配置されるデッキボードを上下動させる機構に応用すれば、頗る好都合なものとなる。
【図面の簡単な説明】
【００３９】
【図１】本発明の第一実施例に係る上下動機構を示す要部斜視図である。
【図２】同上下動機構をベース板の裏面側から示す斜視図である。
【図３】同上下動機構の組付状態を示す断面図である。
【図４】収納室側の構造を示す要部斜視図である。
【図５】デッキボードを上位置に移動した状態を側面から示す説明図である。
【図６】デッキボードを下位置に移動させる過程を側面から示す説明図である。
【図７】デッキボードを下位置に移動させる過程を側面から示す説明図である。
【図８】デッキボードを下位置に移動させた状態を側面から示す説明図である。
【図９】第二実施例に係る上下動機構を示す断面図である。
【符号の説明】
【００４０】
Ｒ      デッキルーム
Ｐ      フロアパネル
Ｂ      デッキボード
１      収納室
２      ベース板
３      ブラケット
４      リンクアーム
４ａ    リンクアームの可動側上端部
４ｂ    リンクアームの固定側基端部
５      回転ピン（第二の回転中心）
５ａ    回転ピンの突出先端部
７      カラー
８      引張コイルばね（弾性付勢手段）
９      軸（第一の回転中心）
１０    周溝
１１    ベース板の係止部
１２    軸受部
１３Ａ  棚部
１３Ｂ  棚部
１４    把手
１５    樹脂製トレー
１６    空間
【図１】
2007191127.tif 000003
【図２】
2007191127.tif 000004
【図３】
2007191127.tif 000005
【図４】
2007191127.tif 000006
【図５】
2007191127.tif 000007
【図６】
2007191127.tif 000008
【図７】
2007191127.tif 000009
【図８】
2007191127.tif 000010
【図９】
2007191127.tif 000011